(57)【要約】【課題】複数タイトルについて切り出したい部分の切り取り開始位置と切り取り終了位置を簡単に指定できるようにし、動画データの編集作業にかかる時間を短縮した動画編集装置を提供する。【解決手段】編集画面表示キーが押下されると、制御部２は、編集画面７１をＴＶ７０で表示する。ユーザは、この編集画面７１を見ながら、複数のタイトルＴ１〜Ｔ３について切り出したい部分の切り取り開始位置と切り取り終了位置を切取開始時間および切取終了時間で指定する。この際、その切取開始時間または切取終了時間に対応する画像が編集画面７１に表示される。そのため、ユーザは切り出したい部分を容易に特定し、指定できる。そして、ユーザが編集実行キー８７を押下すると、制御部２は、オリジナルの動画データ１１に対し編集処理を実行する。【選択図】  図３
2010178010.tif 000002
【特許請求の範囲】
【請求項１】
動画データの記録位置が時間で特定されるメディアに保存されている動画データから、該動画データの一部を複数個切り取って編集する編集手段を備えた動画編集装置であって、
前記動画データを切り取る各部分について、前記動画データの切り取り開始位置を示す切取開始時間の指定とその切り取り終了位置を示す切取終了時間の指定とを要求する編集画面を出力する出力手段と、
前記編集画面が出力されている状態で前記切取開始時間と前記切取終了時間との指定を受け付ける指定手段と、を備え、
前記出力手段は、前記指定手段で指定される前記切取開始時間または前記切取終了時間の画像を前記動画データから読取り、その画像を前記編集画面とともに出力し、
前記編集手段は、
前記指定手段により指定された前記切取開始時間から前記切取終了時間までの前記動画データの一部を１つのタイトルとして前記動画データから切り取る切取処理を全タイトルについて行い、
全タイトルについて前記切取処理が終了すると、切り取った各タイトルを関連付けて前記メディアに保存することを特徴とする動画編集装置。
【請求項２】
前記各タイトルのタイトル名を入力する入力手段を備え、
前記編集手段は、前記入力手段で入力されたタイトル名をタイトルと対応付けて前記メディアに保存することを特徴とする請求項１に記載の動画編集装置。
【請求項３】
前記編集手段は、
切り取った前記各タイトルの一覧を示すタイトル選択画面であって前記各タイトルの再生に先立って再生すべきタイトルの選択を要求するタイトル選択画面を作成し、
前記タイトル選択画面を前記各タイトルと関連付けて前記メディアに保存することを特徴とする請求項１又は２に記載の動画編集装置。
【発明の詳細な説明】
【技術分野】
【０００１】
本発明は、メディアに保存されている動画データを編集する動画編集装置に関するものである。
【背景技術】
【０００２】
従来から、ハードディスク等のメディアに保存されている動画データを編集する動画編集装置が広く一般に普及している。動画データが、例えば、撮影装置で運動会などを長時間撮影したデータ、又は録画装置でテレビ番組などを長時間録画したデータである場合、その動画データには不要な部分も多くなる。そのため、ユーザは、不要な部分を削除し必要な部分を取り出す編集作業をこの動画編集装置で行う。
【０００３】
動画データのうち不要な部分を削除して必要な部分を取り出す場合、動画編集装置は、動画データを実際に再生し、動画データの切り取り開始位置と切り取り終了位置とをユーザに指定させていた。具体的には動画編集装置は、一般的に、切り取り開始指定キー及び切り取り終了指定キーを設け、動画データの再生中にユーザが切り取り開始指定キーを操作した位置を切り取り開始位置、動画データの再生中にユーザが切り取り終了指定キーを操作した位置を切り取り終了位置、としていた。切り取り開始位置と切り取り終了位置とが指定されると、動画編集装置は、切り取り開始位置から切り取り終了位置までの動画データをオリジナルの動画データから切り出し、メディアに保存していた。これにより不要な部分が削除された動画データが完成するため、ユーザは、必要な部分のみの動画データを再生時に視聴することができていた。
なお、特許文献１では、動画編集装置が提案されている。
【先行技術文献】
【特許文献】
【０００４】
【特許文献１】特開２００５−０３３３８３公報
【発明の概要】
【発明が解決しようとする課題】
【０００５】
しかしながら、従来の動画編集装置では、動画データの切り取り開始位置と切り取り終了位置とを指定するために、ユーザは、切り出したい部分の切り取り開始位置と切り取り終了位置を早送り又は巻き戻しをしながら探す必要があった。そのため、例えば、長時間に及ぶ動画データの後半部分を切り出したい場合、ユーザが動画データの先頭から早送りを指示しても、切り取り開始位置または切り取り終了位置の近辺に到達し、両位置を特定するまでに数分かかることがあった。従って、従来の動画編集装置では、動画データの編集作業に要する時間が非常に長くなってしまうという問題があった。
【０００６】
本発明はこのような従来の課題を解決しようとするものであり、複数タイトルについて切り出したい部分の切り取り開始位置と切り取り終了位置を簡単に指定できるようにし、動画データの編集作業にかかる時間を短縮した動画編集装置を提供することを目的とする。
【課題を解決するための手段】
【０００７】
本発明の動画編集装置は、前記課題を解決するために以下の構成を備えている。
【０００８】
（１）動画データの記録位置が時間で特定されるメディアに保存されている動画データから、該動画データの一部を複数個切り取って編集する編集手段を備えた動画編集装置であって、
前記動画データを切り取る各部分について、前記動画データの切り取り開始位置を示す切取開始時間の指定とその切り取り終了位置を示す切取終了時間の指定とを要求する編集画面を出力する出力手段と、
前記編集画面が出力されている状態で前記切取開始時間と前記切取終了時間との指定を受け付ける指定手段と、を備え、
前記出力手段は、前記指定手段で指定される前記切取開始時間または前記切取終了時間の画像を前記動画データから読取り、その画像を前記編集画面とともに出力し、
前記編集手段は、
前記指定手段により指定された前記切取開始時間から前記切取終了時間までの前記動画データの一部を１つのタイトルとして前記動画データから切り取る切取処理を全タイトルについて行い、
全タイトルについて前記切取処理が終了すると、切り取った各タイトルを関連付けて前記メディアに保存することを特徴とする。
【０００９】
この構成において、動画データは、例えば撮影装置で運動会などを撮影したデータ、録画装置でテレビ番組などを録画したデータである。メディアは、例えば光ディスク、半導体メモリ、又は磁気ディスクである。
この構成では、ユーザは、上記編集画面を見ながら、切り取る各部分（即ち各タイトル）について切り出したい部分の切り取り開始位置と切り取り終了位置を切取開始時間および切取終了時間で指定する。この際、その切取開始時間または切取終了時間に対応する画像が表示される。そのため、ユーザは切り出したい部分を容易に特定し、指定できる。
従って、ユーザは複数タイトルを簡単に作成できる。そのため、動画データの編集作業にかかる時間を短縮できる。
【００１０】
（２）前記各タイトルのタイトル名を入力する入力手段を備え、
前記編集手段は、前記入力手段で入力されたタイトル名をタイトルと対応付けて前記メディアに保存することを特徴とする。
【００１１】
この構成において、ユーザは、切り取る各部分（即ち各タイトル）のタイトル名も入力手段から入力できる。
【００１２】
（３）前記編集手段は、
切り取った前記各タイトルの一覧を示すタイトル選択画面であって前記各タイトルの再生に先立って再生すべきタイトルの選択を要求するタイトル選択画面を作成し、
前記タイトル選択画面を前記各タイトルと関連付けて前記メディアに保存することを特徴とする。
【００１３】
この構成においてユーザがメディアを再生する際、各タイトルの再生に先立ってタイトル選択画面が表示される。ユーザは、このタイトル選択画面で表示される各タイトルの一覧の内、再生したいタイトルを選択する。これにより、ユーザは、選択したタイトルの先頭から頭出しで再生することができる。
【発明の効果】
【００１４】
この発明によれば、ユーザは複数タイトルを簡単に作成できる。そのため、動画データの編集作業にかかる時間を短縮できる。
【図面の簡単な説明】
【００１５】
【図１】本発明の実施形態である動画編集装置の構成を示すブロック図
【図２】本発明の実施形態である動画編集装置の制御部が編集時に行う動作を示すフローチャート
【図３】ＴＶ７０に表示される編集画面の一例を示す図
【図４】本発明の実施形態である動画編集装置において動画データが編集される流れを示す図
【図５】本発明の実施形態である動画編集装置の制御部が再生時に行う動作を示すフローチャート
【図６】ＴＶ７０に表示されるタイトル選択画面の一例を示す図
【発明を実施するための形態】
【００１６】
以下、本発明の実施形態である動画編集装置について説明する。
【００１７】
図１は、本発明の実施形態である動画編集装置の構成を示すブロック図である。動画編集装置１は、装置本体各部の動作を制御する制御部２と、動画データが保存されているハードディスク（以下、ＨＤと言う。）１０と、ＨＤ１０に対する動画データの記録、およびＨＤ１０に記録されている動画データの読取りを行うハードディスクディスクドライブ（以下、ＨＤＤと言う。）３と、被写体を撮影する撮影部４と、撮影部４で撮影されたデータをエンコードするエンコーダ５と、ＨＤＤ３がＨＤ１０から読取った動画データをデコードするデコーダ６と、デコーダ６でデコードされた動画データを再生すべくテレビ（以下、ＴＶと言う。）７０に出力する出力部７と、ユーザからの操作入力を受付ける操作部８と、データを保存可能なＵＳＢメモリ９０が装着されるＵＳＢポート９と、を備えている。
【００１８】
なお、操作部８及びリモコン８０が、本発明の「入力手段」に相当する。また、操作部８及びリモコン８０が、本発明の「指定手段」に相当する。また、ＨＤ１０が、本発明の「メディア」に相当する。また、制御部２及びＨＤＤ３が、本発明の「編集手段」に相当する。また、ＨＤＤ３、デコーダ６及び出力部７が、本発明の「出力手段」に相当する。
【００１９】
撮影部４は、撮影レンズと、ズームレンズを含むズーム部と、ＣＣＤ及びＣＣＤ駆動部を含む画像処理部と、から構成される（いずれも不図示）。撮影部４は、ズーム部において、制御部２の指示に基づいてズームレンズ（不図示）を移動させる。これにより、焦点距離が一定範囲で自由に変化する。
【００２０】
撮影部４は、被写体の画像および被写体周囲の画像を含む画像を撮影レンズで取込む。次に、撮影部４は、取込んだ画像を画像処理部のＣＣＤによりデジタルの画像信号に変換する。そして、撮影部４は、その画像データをエンコーダ５に出力する。
【００２１】
また、撮影部４は、音声入力部４Ａを有する。音声入力部４Ａは、音声を収音可能であり、例えばマイクロホンで構成される。音声入力部４Ａは、被写体が発声した音声又は被写体の周囲から発せられる音声が入力されると、入力された音声をアナログの音声信号に変換する。さらに音声入力部４Ａは、その音声信号を所定のサンプリングレートで音声データにＡＤ変換し、エンコーダ５に出力する。
【００２２】
エンコーダ５は、撮影部４から入力された画像データ及び音声データを（例えばＭＰＥＧ２やＭＰＥＧ４で）エンコードする。そして、エンコーダ５は、エンコードしたデータである動画データをＨＤＤ３に供給する。
【００２３】
ＨＤＤ３は、データを保存するＨＤ１０と、ＨＤ１０に対する動画データの記録、およびＨＤ１０に記録されている動画データの読取りを行う磁気ヘッド（不図示）と、を内蔵する。ＨＤ１０は、動画データを保存するデータ記憶領域と、データ記憶領域に記録されている動画データの記憶管理を行うための管理情報を記憶する記憶管理領域と、に分割されている。管理情報には、例えば、動画データとデータの記録位置（即ちアドレス）とを対応付けたアドレステーブル、アドレスと再生経過時間とを対応付けた変換テーブル、などがある。ＨＤＤ３は、制御部２の指示により、その管理情報を制御部２に伝送する。
【００２４】
なお、再生経過時間は、上記両テーブルにより、再生される動画データのＨＤ１０上の記録位置を示すことになる。動画編集装置１は、再生中、現在再生している動画データの記録位置を再生経過時間で表示する（後述の図３の表示領域７３、及び現時点バー７２Ａを参照）。ユーザは、この再生経過時間により、動画データの先頭から現在再生されている動画データの記録位置までに経過した時間を把握する。
【００２５】
デコーダ６は、ＨＤＤ３がＨＤ１０から読み取った動画データを（例えばＭＰＥＧ２やＭＰＥＧ４で）デコードする。そして、デコーダ６は、動画データをデコードして生成された画像データと音声データとを、同期を取りつつ出力部７に出力する。
【００２６】
出力部７は、デコーダ６から入力した画像データを一時記憶するビデオメモリ７Ａを内蔵する。出力部７は、ビデオメモリ７Ａに記憶されている画像データと、デコーダ６から入力した音声データとを、同期を取りつつＴＶ７０に出力する。
【００２７】
ＴＶ７０は、例えばディジタルテレビで構成される。ＴＶ７０は、動画編集装置１から入力した動画データに対してＤＡ変換等の処理を施し、動画データに基づく画像を表示するとともに、動画データに基づく音声を内蔵のスピーカから出力する。これにより、ユーザは、撮影した映像音声をＴＶ７０において視聴する。
【００２８】
制御部２は、例えばマイクロコンピュータで構成される。制御部２は、装置本体各部の動作を制御する制御方法が記述された制御プログラムを記憶するＲＯＭと、該制御プログラムで処理されるデータを展開するワークフィールドとしてのＲＡＭと、を内蔵する（いずれも不図示）。
【００２９】
制御部２は、操作部８から入力されたコマンドに対応して動画編集装置１の各部の動作を制御する。例えば制御部２は、ＵＳＢポート９に装着されているＵＳＢメモリ９０からＨＤ１０へのデータのコピー又は移動を行う。逆に、制御部２は、ＨＤ１０からそのＵＳＢメモリ９０へのデータのコピー又は移動も行う。
【００３０】
操作部８には、リモコン８０から送信される操作信号を受光する受光部８Ａが設けられている。リモコン８０には、ユーザからの操作入力を受付ける複数の操作キーと、ＬＥＤで構成される発光部とが設けられている。リモコン８０は、押下された操作キーに応じた操作信号（コマンド）を発光部から送信する。操作部８は、その操作信号を受光部８Ａで受信すると、その操作信号を制御部２に伝送する。
【００３１】
上記複数の操作キーには、後述の図３に示す編集画面７１の表示を受け付ける編集画面表示キー（不図示）と、編集画面７１内にあるカーソル７５の移動を受け付けるカーソルキー８２、８４と、カーソル７５が停止している位置に対応する再生経過時間の画像の再生を受け付ける画像表示キー８３と、切取開始時間、切取終了時間およびタイトル名の入力を受け付けるパラメータ入力キー８６、入力した切取開始時間または切取終了時間とタイトル名との確定を受け付ける確定キー８５と、編集の実行を受け付ける編集実行キー８７と、新たなタイトルを作成するタイトル作成キー（不図示）と、ＨＤ１０に保存されている動画データの再生を受け付ける再生キー（不図示）と、そのタイトル一覧の中から再生タイトルを選択する選択キー（不図示）と、がある。
【００３２】
図２は、本発明の実施形態である動画編集装置の制御部が行う動作を示すフローチャートである。図３は、ＴＶ７０に表示される編集画面の一例を示す図である。図４は、本発明の実施形態である動画編集装置において動画データが編集される流れを示す図である。図２の動作は、ユーザがＨＤ１０に保存されているオリジナルの動画データ１１の編集を行うために編集画面表示キーを押下した時の動作である。
【００３３】
編集画面表示キーが押下されると、制御部２は、図３に示すような編集画面７１をＴＶ７０で表示する（Ｓ１）。ここで、編集画面７１は、ステータスバー７２と、表示領域７３と、表示領域７４と、カーソル７５と、ビデオ領域７６と、フレーム７７と、を有する画面である。ステータスバー７２は、動画データ１１の全再生時間を示し、現時点バー７２Ａで現時点の再生経過時間を示す。そして、表示領域７３で示される時間が現時点バー７２Ａにおける再生経過時間を示す。また、ビデオ領域７６は、現時点７２Ａにおける再生経過時間の画像を表示する領域である。表示領域７４は、動画データ１１の編集を行うために指定されるパラメータ（即ち切取開始時間、切取終了時間およびタイトル名）を表示する領域である。カーソル７５は、ステータスバー７２の範囲で（即ち動画データ１１の先頭から最後尾までの範囲で）左右に移動するカーソルである。カーソル７５は、カーソルキー８２で左方向へ移動し、カーソルキー８４で右方向へ移動する。そして、画像表示キー８３が押下されると、制御部２は、カーソル７５が停止している位置に現時点バー７２Ａを移す。これにより、カーソル７５が停止している位置に対応する再生経過時間の画像がビデオ領域７６で表示される。また、フレーム７７は、現在指定が受け付けられているパラメータを示している。
【００３４】
ここで、Ｓ１について詳述すると、制御部２は、ＨＤＤ３からＨＤ１０の管理情報を取得して、ＨＤ１０の記憶内容を参照する。そして、制御部２は、取得した管理情報に基づいて、ＯＳＤ画像の一部にビデオ領域７６のための空白領域を有するＯＳＤ画像データを作成する。ＯＳＤ画像データの基となるソースデータは、制御部２が内蔵するＯＳＤ画像メモリ（不図示）に保存する。そして、制御部２は、該ＯＳＤ画像データを出力部７のビデオメモリ７Ａに出力する。また、制御部２は、現時点バー７２Ａに対応する再生経過時間の動画データを読み取るようＨＤＤ３に指示し、その動画データをデコーダ６に入力する。出力部７は、デコーダ６でデコードされた画像データの画面サイズを、ビデオ領域７６のサイズに縮小する。さらに、出力部７は、その縮小画像をビデオ領域７６の位置に合わせ、ＯＳＤ画像データに基づくＯＳＤ画像と合成する。そして、出力部７は、合成した画像データをＴＶ７０に出力する。この結果、ＴＶ７０において、図３に示すような編集画面７１が表示される。そして、ユーザは、この編集画面７１を見ながら切取開始時間、切取終了時間およびタイトル名をリモコン８０の操作キーから入力する。
【００３５】
Ｓ１において編集画面７１を表示すると、制御部２は、まず、タイトルＴ１の切取開始時間の指定を受け付ける（Ｓ２）。これにより、ユーザは、切取開始時間（時：分：秒）をパラメータ入力キー８６からダイレクトに指定し、確定キー８５を押下する。または、ユーザは、カーソル７５を移動させて切り取りを開始したい再生経過時間（即ち切取開始時間）に現時点バー７２Ａを動かし、確定キー８５を押下する。
【００３６】
確定キー８５が押下されると（Ｓ３）、制御部２は、タイトルＴ１の切取終了時間の指定を受け付ける（Ｓ４）。これにより、ユーザは、切取終了時間（時：分：秒）をパラメータ入力キー８６からダイレクトに指定し、確定キー８５を押下する。または、ユーザは、カーソル７５を移動させて切り取りを終了したい再生経過時間（即ち切取終了時間）に現時点バー７２Ａを動かし、確定キー８５を押下する。例えば図３では、タイトルＴ３の切取終了時間が指定される様子が示されている。
【００３７】
確定キー８５が押下されると（Ｓ５）、制御部２は、タイトルＴ１のタイトル名の入力を受け付ける（Ｓ６）。これにより、ユーザはパラメータ入力キー８６を操作し、タイトルＴ１に所望のタイトル名を付ける。
【００３８】
そして、制御部２は、タイトル作成キーが押下されたか、編集実行キー８７が押下されたか、を判断する（Ｓ７、Ｓ８）。ここで、Ｓ７及びＳ８では、ユーザが、次のタイトルを作成するか、現時点までに入力したパラメータで編集を開始するか、を選択できる状態となっている。
【００３９】
Ｓ７においてタイトル作成キーが押下されると、制御部２は、次のタイトルＴ２を作成し（Ｓ９）、Ｓ２に戻り処理を継続する。即ち制御部２は、新たなタイトルが作成される毎に、その新たなタイトルについてＳ２からＳ８までの処理を繰り返す。
【００４０】
一方、Ｓ８において編集実行キー８７が押下されると、制御部２は、図４（Ａ）に示すオリジナルの動画データ１１に対し編集処理を実行する（Ｓ１０）。Ｓ１０の編集処理について図４を用いて説明する。この編集処理において制御部２は、リモコン８０の操作キーで指定された切取開始時間から切取終了時間までの動画データを１つのタイトルとしてオリジナルの動画データ１１から切り取る切取処理を、作成されたタイトルの数、繰り返す。これにより、この実施形態では、図４（Ａ）に示すオリジナルの動画データ１１から、図４（Ｂ）に示す３つのタイトルＴ１〜Ｔ３が取り出される。
【００４１】
そして、制御部２は、切り取った各タイトルＴ１〜Ｔ３を関連付けてＨＤ１０に保存するようＨＤＤ３に指示する（図４（Ｃ）参照）。制御部２は、各タイトルＴ１〜Ｔ３を、ＨＤ１０の記憶管理領域にある管理情報で関連付ける。さらに、制御部２は、各タイトルＴ１〜Ｔ３のタイトル名を管理情報において記述しておく。
【００４２】
編集処理が終了すると、制御部２は編集画面７１を閉じ（Ｓ１１）、本処理を終了する。この後、ユーザは、タイトルＴ１〜Ｔ３からなる編集後の動画データ１２をＨＤ１０に保存したままにしたり、ＨＤ１０からＵＳＢメモリ９０へコピー又は移動させたりする。
【００４３】
以上より、ユーザは、編集画面７１を見ながら、複数のタイトルＴ１〜Ｔ３について切り出したい部分の切り取り開始位置と切り取り終了位置をパラメータ入力キー８６で指定する。この際、その切取開始時間または切取終了時間に対応する画像が表示される。そのため、ユーザは切り出したい部分を容易に特定し、指定できる。従って、ユーザは複数タイトルを簡単に作成できる。そのため、動画データ１１の編集作業にかかる時間を短縮できる。
また、ユーザは、作成する各タイトルＴ１〜Ｔ３のタイトル名もパラメータ入力キー８６から入力できる。
【００４４】
ここで、Ｓ１１の後、制御部２は、切り取った各タイトルＴ１〜Ｔ３の一覧を示すタイトル選択画面であって各タイトルＴ１〜Ｔ３の再生に先立って再生すべきタイトルの選択を要求するタイトル選択画面（後述の図６参照）を作成する。そして、制御部２は、そのタイトル選択画面を各タイトルＴ１〜Ｔ３と関連付けてＨＤ１０に保存するようＨＤＤ３に指示する。制御部２は、タイトル選択画面と各タイトルＴ１〜Ｔ３とを、ＨＤ１０の記憶管理領域にある管理情報で関連付ける。さらに、制御部２は、タイトル選択画面と各タイトルＴ１〜Ｔ３との再生順序も管理情報に記述する。
【００４５】
図５は、本発明の実施形態である動画編集装置の制御部が再生時に行う動作を示すフローチャートである。この動作は、図４（Ｃ）に示す編集後の各タイトルＴ１〜Ｔ３の再生が再生キーで指示された時の動作である。
【００４６】
編集後の各タイトルＴ１〜Ｔ３の再生が指示されると、制御部２は、管理情報に基づいてタイトル選択画面（図６参照）をＴＶ７０で表示する（Ｓ１０１）。詳述すると、制御部２は、ＨＤ１０からタイトル選択画面を読み取るようＨＤＤ３に指示し、同タイトル選択画面を出力するよう出力部７に指示する。ユーザは、このタイトル選択画面を見て、過去に作成したタイトルＴ１〜Ｔ３の内、再生したいタイトルを選択キーで選択する。
【００４７】
すると、制御部２は、選択されたタイトルを再生し（Ｓ１０２）、本処理を終了する。この実施形態では、例えばタイトルＴ３を選択キーで選択すると、ユーザは、タイトルＴ３の先頭から頭出しで再生することができる。これにより、ユーザは、過去に撮影した１００ｍ走のコンテンツをＴＶ７０で視聴することができる。
【００４８】
なお、ユーザは、各タイトルＴ１〜Ｔ３及びタイトル選択画面のデータをＨＤ１０からＵＳＢメモリ９０へコピー又は移動させることも可能である。この際、制御部２は、編集した動画データ及びタイトル選択画面のデータの再生順序を示す再生順序情報もＵＳＢメモリ９０へコピー又は移動させる。
【符号の説明】
【００４９】
１…動画編集装置
２…制御部
３…ＨＤＤ
４…撮影部
４Ａ…音声入力部
５…エンコーダ
６…デコーダ
７…出力部
７Ａ…ビデオメモリ
８…操作部
８Ａ…受光部
９…ＵＳＢポート
１０…ＨＤ
１１…動画データ
１２…編集後の動画データ
７０…ＴＶ
７１…編集画面
７２…ステータスバー
７２Ａ…現時点バー
７３…表示領域
７４…表示領域
７５…カーソル
７６…ビデオ領域
７７…フレーム
８０…リモコン
８２…カーソルキー
８３…画像表示キー
８４…カーソルキー
８５…確定キー
８６…パラメータ入力キー
８７…編集実行キー
９０…ＵＳＢメモリ
【図１】
2010178010.tif 000003
【図２】
2010178010.tif 000004
【図３】
2010178010.tif 000005
【図４】
2010178010.tif 000006
【図５】
2010178010.tif 000007
【図６】
2010178010.tif 000008